(57)【要約】  【課題】  一部または全部の素子を分布定数回路素子で構成した急峻な通過−減衰特性を持つフィルタを用い、第２及び第３周波数帯域信号の分離を可能にしたトリプレクサ回路を提供する。  【解決手段】  ＬＰＦ１、ＢＰＦ２、ＨＰＦ３により受信信号を３つの周波数帯域信号として選択出力するトリプレクサ回路で、ＢＰＦ２は、相互結合した２つのストリップライン（ＳＬ）２（１）、２（２）と複数のコンデンサ２（３）〜２（７）とからなり、ＨＰＦ３は、コ字型の第１及び第２のＳＬ９、１０を、多層基板の異なる層間に各ＳＬ９、１０の接続部分９（３）、１０（３）を逆方向にして配置し、各ＳＬ９、１０の一方及び他方の平行部分９（１）−１０（２）、９（２）−１０（１）を対向配置し、ＳＬ９の一方の平行部分９（１）に信号入力端２０を、ＳＬ１０の一方の平行部分１０（１）に信号出力端２１を形成し、ＳＬ９の他方の平行部分９（２）と接地間及びＳＬ１０の他方の平行部分１０（２）と接地間に接地導体１１、１２を接続した。  【選択図】  図１
2006332980.tif 000002
【特許請求の範囲】
【請求項１】
受信信号を、ローパスフィルタを通して低い周波数の第１周波数帯域信号を選択し、バンドパスフィルタを通して中間の周波数の第２周波数帯域信号を選択し、ハイパスフィルタを通して高い周波数の第３周波数帯域信号を選択するトリプレクサ回路であって、前記バンドパスフィルタは、相互結合した２つのストリップラインと複数のコンデンサとからなり、前記ハイパスフィルタは、それぞれ一方及び他方の平行部分と前記一方及び他方の平行部分の各他端部を連結する接続部分とを備えた平板状のコ字型の第１及び第２のストリップラインを、多層基板の異なる誘電体層に、前記第１及び第２のストリップラインの接続部分が互いに逆方向になるように配置され、かつ、前記第１及び第２のストリップラインの対応する前記一方及び他方の平行部分を対向配置させ、前記第１のストリップラインの一方の平行部分の一端に信号入力端を形成し、前記第２ストリップラインの一方の平行部分の一端に信号出力端を形成するとともに、前記第１のストリップラインの他方の平行部分の他端及び前記第２ストリップラインの他方の平行部分の他端を前記多層基板に設けたスルーホールを通して接地導体に導電接続したものであることを特徴とするトリプレクサ回路。
【請求項２】
前記ハイパスフィルタの入力端に直列に移相線路が接続され、第１周波数帯域信号及び第２周波数帯域信号に対して移相線路の入力インピーダンスが開放状態にするようにしたことを特徴とする請求項１に記載のトリプレクサ回路。
【請求項３】
前記第１周波数帯域信号は周波数が８２４〜８９４ＭＨｚの範囲内にあるセルラー帯の信号であり、前記第２周波数帯域信号は周波数が１５７４．４２〜１５７６．４２ＭＨｚの範囲内にあるＧＰＳ帯の信号であり、前記第３周波数帯域信号は周波数が１８５０〜１９９０ＭＨｚの範囲内にあるＰＣＳ帯の信号であることを特徴とする請求項１もしくは２に記載のトリプレクサ回路。
【発明の詳細な説明】
【技術分野】
【０００１】
本発明は、トリプレクサ回路に係り、特に、受信信号の中の中間周波数帯の第２周波数帯域信号を選択するバンドパスフィルタと高い周波数帯の第３周波数帯域信号を選択するハイパスフィルタとに分布定数回路素子を用い、カットオフ周波数近傍の通過−減衰特性を表面弾性波（ＳＡＷ）フィルタのように急峻にしたトリプレクサ回路に関する。
【背景技術】
【０００２】
従来、携帯電話等の移動通信端末装置においては、端末装置のアンテナで受信した総合周波数帯域の信号を、例えば、８２４〜８９４ＭＨｚの範囲の低い周波数帯（第１周波数帯域）であるセルラー帯信号、１５７４．４２〜１５７６．４２ＭＨｚの範囲の中間周波数帯（第２周波数帯域）であるＧＰＳ帯信号、１８５０〜１９９０ＭＨｚの範囲の高い周波数帯（第３周波数帯域）であるＰＣＳ帯信号に分離するための手段として、複数のハイパスフィルタやローパスフィルタを組み合わせて構成したトリプレクサ回路、または、ハイパスフィルタ、バンドパスフィルタ、ローパスフィルタを用いて構成したトリプレクサ回路が知られている。
【０００３】
ここで、図４は、前記既知のトリプレクサ回路の第１構成例を示すブロック図であって、複数のハイパスフィルタ及びローパスフィルタを組み合わせて構成したものであり、一例として特開２００３−１９８３０９号公報に開示されているものである。
【０００４】
図４に示されるように、第１構成例によるトリプレクサ回路は、第１ローパスフィルタ５１と、第１ハイパスフィルタ５２と、第２ローパスフィルタ５３と、第２ハイパスフィルタ５４と、総合周波数帯域の受信信号が供給される入力端子５５と、第１周波数帯域の信号が出力される第１出力端子５６と、第２周波数帯域の信号が出力される第２出力端子５７と、第３周波数帯域の信号が出力される第３出力端子５８とからなっている。そして、第１ローパスフィルタ５１は、入力端が入力端子５５に、出力端が第１出力端子５６にそれぞれ接続され、第１ハイパスフィルタ５２は、入力端が入力端子５５に、出力端が第２ローパスフィルタ５３の入力端と第２ハイパスフィルタ５４の入力端にそれぞれ接続される。また、第２ローパスフィルタ５３は、出力端が第２出力端子５７に接続され、第２ハイパスフィルタ５４は、出力端が第３出力端子５８に接続される。
【０００５】
前記構成を有するトリプレクサ回路は、次のように動作する。
【０００６】
入力端子５５に総合周波数帯域の受信信号が供給されると、その中の第１周波数帯域の信号が第１ローパスフィルタ５１において選択され、選択された第１周波数帯域の信号が第１出力端子５６に供給され、残りの第２周波数帯域の信号及び第３周波数帯域の信号が第１ハイパスフィルタ５２において選択され、選択された第２周波数帯域の信号及び第３周波数帯域の信号が第２ローパスフィルタ５３及び第２ハイパスフィルタ５４に供給される。このとき、第２ローパスフィルタ５３は、その中から第２周波数帯域の信号を選択し、選択された第２周波数帯域の信号が第２出力端子５７に供給され、第２ハイパスフィルタ５４は、その中から第３周波数帯域の信号を選択し、選択された第３周波数帯域の信号が第３出力端子５７に供給される。
【０００７】
また、図５は、前記既知のトリプレクサ回路の第２構成例を示すブロック図であって、ハイパスフィルタ、バンドパスフィルタ、ローパスフィルタを用いて構成したものであり、一例として特開２００４−２６６３６１号公報に開示されているものである。
【０００８】
図５に示されるように、第２構成例のトリプレクサ回路は、ローパスフィルタ６１と、バンドパスフィルタ６２と、ハイパスフィルタ６３と、総合周波数帯域の受信信号が供給される入力端子６４と、第１周波数帯域信号が出力される第１出力端子６５と、第２周波数帯域信号が出力される第２出力端子６６と、第３周波数帯域信号が出力される第３出力端子６７とからなっている。そして、ローパスフィルタ６１は、入力端が入力端子６５に、出力端が第１出力端子６５にそれぞれ接続され、バンドパスフィルタ６３は、入力端が入力端子５５に、出力端が第２出力端子６６に接続され、ハイパスフィルタ６３は、入力端が入力端子５５に、出力端が第３出力端子６７に接続される。
【０００９】
前記構成を有するトリプレクサ回路は、次のように動作する。
【００１０】
入力端子５５に総合周波数帯域の受信信号が供給されると、その中の第１周波数帯域信号がローパスフィルタ６１において選択され、選択された第１周波数帯域信号が第１出力端子６５に供給され、その中の第２周波数帯域信号がバンドパスフィルタ６２において選択され、選択された第２周波数帯域信号が第２出力端子６６に供給され、その中の第３周波数帯域信号がハイパスフィルタ６３において選択され、選択された第３周波数帯域信号が第３出力端子６７に供給される。
【特許文献１】特開２００３−１９８３０９号公報
【特許文献２】特開２００４−２６６３６１号公報
【発明の開示】
【発明が解決しようとする課題】
【００１１】
前記既知のトリプレクサ回路の第１構成例は、第１ローパスフィルタ５１と第１ハイパスフィルタ５２と第２ローパスフィルタ５３と第２ハイパスフィルタ５４とを用いることにより、また、前記既知のトリプレクサ回路の第２構成例は、ローパスフィルタ６１とバンドパスフィルタ６２とハイパスフィルタ６３とを用いることにより、総合周波数帯域の受信信号を第１周波数帯域、第２周波数帯域及び第３周波数帯域の各信号にそれぞれ分離することができるものであるが、第１周波数帯域、第２周波数帯域及び第３周波数帯域は、いずれも周波数帯域が狭帯域であるので、それぞれのフィルタ５１〜５４、６１〜６３は、その通過−減衰特性として急峻なものが要求されることになる。
【００１２】
その中でも、とりわけ、第２周波数帯域は超狭帯域であるため、第１構成例による第２周波数帯域と第３周波数帯域とを分離する第２ローパスフィルタ５３と第２ハイパスフィルタ５４、また、第２構成例によるバンドパスフィルタ６２とハイパスフィルタ６３については、その通過帯域内の挿入損失を小さくし、かつ、通過帯域に近接した減衰帯域内の減衰量を大きくする必要があり、このような通過−減衰特性の急峻な各種のフィルタを得ることは、表面弾性波（ＳＡＷ）フィルタを用いないで実現することはかなり難しいことである。
【００１３】
本発明は、このような技術的背景に鑑みてなされたもので、その目的は、一部または全部の素子を分布定数回路素子で構成した表面弾性波フィルタに近い急峻な通過−減衰特性を有するフィルタを用い、第２及び第３周波数帯域の信号の分離を可能にしたトリプレクサ回路を提供することにある。
【課題を解決するための手段】
【００１４】
前記目的を達成するために、本発明によるトリプレクサ回路は、受信信号を、ローパスフィルタを通して低い周波数の第１周波数帯域信号を選択し、バンドパスフィルタを通して中間の周波数の第２周波数帯域信号を選択し、ハイパスフィルタを通して高い周波数の第３周波数帯域信号を選択するものであって、バンドパスフィルタは、相互結合した２つのストリップラインと複数のコンデンサとからなり、ハイパスフィルタは、それぞれ一方及び他方の平行部分と一方及び他方の平行部分の各他端部を連結する接続部分とを備えた平板状のコ字型の第１及び第２のストリップラインを、多層基板の異なる誘電体層に、第１及び第２のストリップラインの接続部分が互いに逆方向になるように配置され、かつ、第１及び第２のストリップラインの対応する一方及び他方の平行部分を対向配置させ、第１のストリップラインの一方の平行部分の一端に信号入力端を形成し、第２ストリップラインの一方の平行部分の一端に信号出力端を形成するとともに、第１のストリップラインの他方の平行部分の他端及び第２ストリップラインの他方の平行部分の他端を多層基板に設けたスルーホールを通して接地導体に導電接続した手段を具備する。
【００１５】
前記手段において、ハイパスフィルタの入力端に直列に移相線路が接続され、第１周波数帯域信号及び第２周波数帯域信号に対して移相線路の入力インピーダンスが開放状態にした構成にすることができる。
【発明の効果】
【００１６】
以上のように、本発明のトリプレクサ回路によれば、バンドパスフィルタとして相互結合した２つのストリップラインと複数のコンデンサとからなる分布定数回路素子と集中定数回路素子との組み合わせ回路を用い、ハイパスフィルタとして多層基板内に組み込まれた相互結合した２つの平板状のコ字型の第１及び第２のストリップラインとそれらに接続された接地導体とを有する分布定数型回路素子を用いた構成にしているので、バンドパスフィルタ及びハイパスフィルタのそれぞれに対して比較的急峻な減衰−通過特性の設定をすることが可能になるとともに、ハイパスフィルタ内に形成された複数のトラップ回路により、中間周波数帯の第２周波数帯域信号を大幅に減衰させ、高域カットオフ周波数近傍の高い周波数帯の第３周波数帯域信号の挿入損失を低減させることができ、それによりハイパスフィルタの高域カットオフ特性の立上り部を表面弾性波フィルタに匹敵する急峻な通過−減衰特性を形成させ、第３周波数帯域信号に対する良好な選択特性を得ることができるという効果がある。
【発明を実施するための最良の形態】
【００１７】
以下、本発明の実施の形態を図面を参照して説明する。
【００１８】
図１は、本発明によるトリプレクサ回路の一つの実施の形態に係わるもので、その要部構成を示す回路図であり、総合周波数帯域の受信信号を、８２４〜８９４ＭＨｚの範囲の低い周波数帯（第１周波数帯域）であるセルラー帯信号、１５７４．４２〜１５７６．４２ＭＨｚの範囲の中間周波数帯（第２周波数帯域）であるＧＰＳ帯信号、１８５０〜１９９０ＭＨｚの範囲の高い周波数帯（第３周波数帯域）であるＰＣＳ帯信号に分離する例を示すものである。
【００１９】
図１に示されるように、この実施の形態によるトリプレクサ回路は、第１周波数帯域信号を選択するローパスフィルタ（ＬＰＦ）１と、第２周波数帯域信号を選択するバンドパスフィルタ（ＢＰＦ）２と、第３周波数帯域信号を選択するハイパスフィルタ（ＨＰＦ）３と、入力インピーダンス調整用移相線路４と、受信信号入力端子５と、第１周波数帯域信号が供給される第１信号出力端子６と、第２周波数帯域信号が供給される第２信号出力端子７と、第１周波数帯域信号が供給される第３信号出力端子８とからなる。そして、ローパスフィルタ１は、入力端が受信信号入力端子５に接続され、出力端が第１出力端子６に接続される。バンドパスフィルタ２は、入力端が受信信号入力端子５に接続され、出力端が第２出力端子７に接続される。ハイパスフィルタ３は、入力端が移相線路４を通して受信信号入力端子５に接続され、出力端が第３出力端子８に接続される。
【００２０】
この場合、ローパスフィルタ１は、４個の集中回路素子をＴ型に組み合わせた構成のもので、一方の直列分岐素子を構成する第１インダクタ１（１）と、分路分岐素子を構成する第１キャパシタ１（２）と、他方の直列分岐素子を構成する第２インダクタ１（３）と第２キャパシタ１（４）の並列回路とからなり、この並列回路は、第２周波数帯域信号の周波数あるいは第２周波数帯域信号の周波数乃至第３周波数帯域信号の周波数に対する並列共振型トラップ回路を構成している。
【００２１】
また、バンドパスフィルタ２は、相互結合された２つのストリップラインからなる分布定数回路素子と５個の集中回路素子とをブリッジＴ型に組み合わせた構成のもので、分路分岐素子を構成する相互結合された第１ストリップライン２（１）及び第２ストリップライン２（２）と、第１ストリップライン２（１）に並列接続された第１キャパシタ２（３）と、第２ストリップライン２（２）に並列接続された第２キャパシタ２（４）とからなり、一方の直列分岐素子を構成する第３キャパシタ２（５）と、他方の直列分岐素子を構成する第４キャパシタ２（６）と、ブリッジ素子を構成する第５キャパシタ２（７）とからなっている。そして、バンドパスフィルタ２は、その入力インピーダンスが第１周波数帯域信号及び第３周波数帯域信号に対して開放状態になるように構成されている。
【００２２】
さらに、ハイパスフィルタ３は、多層基板内に組み込まれた相互結合した２つの平板状のコ字型の第１及び第２のストリップラインを含む分布定数回路素子を組み合わせた構成のもので、その具体的構成については後述するが、平板状のコ字型の第１ストリップライン９及び第２ストリップライン１０を備え、相互結合した第１ストリップライン９の第１平行部分９（１）及び第２ストリップライン１０の第２平行部分１０（２）と、相互結合した第２ストリップライン１０の第１平行部分１０（１）及び第１ストリップライン９の第２平行部分９（２）と、第１平行部分９（１）と第２平行部分９（２）の他端間を連結する接続部分９（３）と、第１平行部分１０（１）と第２平行部分１０（２）の他端間を連結する接続部分１０（３）と、第２平行部分９（２）の一端を接地接続する第１接続導体１１と第２平行部分１０（２）の一端を接地接続する第２接続導体１２とを有しており、このような構成によって、ハイパスフィルタ３の内部には、後述するように、各種の周波数信号に対するトラップが形成されるように構成されている。
【００２３】
また、ハイパスフィルタ３の入力端と受信信号入力端子５との間に接続された移相線路４は、第３周波数帯域信号に対して特性インピーダンスが５０オームになるように構成され、さらに、移相線路４の線路長さを調整することにより、移相線路４の入力インピーダンスが第１周波数帯域信号及び第２周波数帯域信号に対して開放状態になるように構成されている。
【００２４】
次に、図２は、図１に図示されたハイパスフィルタ３の具体的構成を示すもので、その構成における一部の内部構成を透視状態で表した斜視図である。
【００２５】
図２に示されるように、このハイパスフィルタ３は、上下方向に積層された第１乃至第３の誘電体層１３、１４、１５と、第１及び第２誘電体層１３、１４間に配置され、第１及び第２平行部分９（１）、９（２）と第１及び第２平行部分９（１）、９（２）の他端間を連結する接続部分９（３）とを有する平板状のコ字型の第１ストリップライン９と、第２及び第３誘電体層１４、１５間に配置され、第１及び第２平行部分１０（１）、１０（２）と第１及び第２平行部分１０（１）、１０（２）の他端間を連結する接続部分１０（３）とを有する平板状のコ字型の第２ストリップライン１０と、第１誘電体層１３の上面に形成された第１接地導体１６と、第３誘電体層１５の下面に形成された第２接地導体１７とを備えている。
【００２６】
また、このハイパスフィルタ３は、第１誘電体層１３に設けた第１のスルーホール１８を通して第１ストリップライン９の第２平行部分９（２）の一端と第１接地導体１６との間に接続された第１接続導体１１と、第３誘電体層１５に設けた第２のスルーホール１９を通して第２ストリップライン１０の第２平行部分１０（２）の一端と第２接地導体１７との間に接続された第２接続導体１２と、第１ストリップライン９の第１平行部分９（１）の一端に接続された信号入力端２０と、第２ストリップライン１０の第１平行部分１０（１）の一端に接続された信号出力端２１と、第１乃至第３誘電体層１３、１４、１５の４隅部分にそれぞれ設けた第３乃至第６のスルーホール２２、２３、２４、２５を通して第１接地導体１６と第２接地導体１７間に接続された第３乃至第６接続導体２６、２７、２８、２９とを備えている。
【００２７】
この場合、第１乃至第３誘電体層１３、１４、１５内に配置された平板状のコ字型の第１ストリップライン９と平板状のコ字型の第２ストリップライン１０の配置形態は、第１ストリップライン９の第１平行部分９（１）と第２ストリップライン１０の第２平行部分１０（２）とが対向配置され、第１ストリップライン９の第２平行部分９（２）と第２ストリップライン１０の第１平行部分１０（１）とが対向配置されており、第１ストリップライン９の接続部分９（３）と第２ストリップライン１０の接続部分１０（３）とは、コ字型の第１ストリップライン９とコ字型の第２ストリップライン１０において互いに逆側に配置されている。
【００２８】
さらに、第１接地導体１６と第２接地導体１７は、その４隅部分に、第１誘電体層１３、第２誘電体層１４、第３誘電体層１５のそれぞれを貫通するように設けた第３のスルーホール２２、第４のスルーホール２３、第５のスルーホール２４、第６のスルーホール２５が形成されている。そして、第３のスルーホール２２内には第１接地導体１６と第２接地導体１７を導電接続する第３接続導体２６が、第４のスルーホール２３内には第１接地導体１６と第２接地導体１７を導電接続する第４接続導体２７が、第５のスルーホール２４内には第１接地導体１６と第２接地導体１７を導電接続する第５接続導体２８が、第６のスルーホール２５内には第１接地導体１６と第２接地導体１７を導電接続する第６接続導体２９がそれぞれ配置され、このような構成により、第１接地導体１６と第２接地導体１７とが同じ接地電位になるように設定されている。
【００２９】
前記構成によるハイパスフィルタ３は、図１に図示されたハイパスフィルタ３の内部構成に示されるような等価回路になる。
【００３０】
すなわち、ハイパスフィルタ３は、第１ストリップライン９の第１平行部分９（１）と第２ストリップライン１０の第２平行部分１０（２）とが相互結合され、第１平行部分９（１）の一端が信号入力端２０に接続され、第２平行部分１０（２）の一端が第２接続導体１２を通して接地接続される。また、第１ストリップライン９の第２平行部分９（２）と第２ストリップライン１０の第１平行部分１０（１）とが相互結合され、第２平行部分９（２）の一端が第１接続導体１１を通して接地接続され、第１平行部分１０（１）の一端が信号出力端２１に接続される。この他に、第１平行部分９（１）と第２平行部分９（２）の各他端が接続部分９（３）によって互いに接続され、第２平行部分１０（２）と第１平行部分１０（１）とが接続部分１０（３）によって互いに接続されている。
【００３１】
また、図３は、図１に図示されたハイパスフィルタ３が呈するフィルタ特性の一例を示す特性図である。図３において、横軸はＧＨｚで表した信号周波数であり、縦軸はｄＢで表した信号減衰度である。
【００３２】
ここで、この実施の形態によるトリプレクサ回路の動作を図１乃至図３を用いて説明する。
【００３３】
このトリプレクサ回路の基本的回路の動作は、既知のトリプレクサ回路の第２構成例の動作と殆んど同じであって、ローパスフィルタ１は、受信信号の中にある第１周波数帯域信号だけを選択し、選択した第１周波数帯域信号を第１出力端子６に供給し、また、バンドパスフィルタ２は、受信信号の中にある第２周波数帯域信号だけを選択し、選択した第２周波数帯域信号を第２出力端子７に供給し、さらに、ハイパスフィルタ３は、受信信号を移相線路４を通して受け、その受信信号の中にある第３周波数帯域信号だけを選択し、選択した第３周波数帯域信号を第３出力端子８に供給する。
【００３４】
この場合、ローパスフィルタ１は、一方及び他方の直列分岐素子と１つの分路素子からなるＴ型回路を構成している。そして、このＴ型回路における他方の直列分岐素子である第２インダクタ１（３）と第２キャパシタ１（４）の並列回路は、第２周波数帯域信号の周波数あるいは第２周波数帯域信号の周波数乃至第３周波数帯域信号の周波数に対する並列共振型トラップ回路を構成し、そのトラップ周波数信号を阻止するが、それより周波数の低い第１周波数帯域信号に対しては、インダクタとして働くものである。
【００３５】
次に、図１に図示されているバンドパスフィルタ２は一方及び他方の直列分岐素子と１つの分路分岐素子と１つのブリッジ素子からなるブリッジＴ型回路を構成するものであって、かかるブリッジＴ型回路の分路分岐素子に相互結合された第１及び第２のストリップライン２（１）、２（２）からなる分布定数回路素子を含んだ２つの並列共振回路を用いているものである。そして、このブリッジＴ型回路の分路分岐素子である２つの並列共振回路は、第２周波数帯域信号の周波数に対する並列共振型トラップ回路を構成し、そのそのトラップ周波数信号に対して高い対接地インピーダンスを呈するが、それ以外の周波数信号に対して低い対接地インピーダンスを呈するので、結果的に、バンドパスフィルタ２は、第２周波数帯域信号だけを選択するように動作する。また、この第２周波数帯域信号の選択時に、２つの並列共振回路における第１及び第２のストリップライン２（１）、２（２）の相互結合の度合いを調整することにより、第２周波数帯域信号の立上り特性及び立下り特性を急峻にすることが可能になる。
【００３６】
さらに、図１に図示され、図２にその具体的構成が示されているハイパスフィルタ３の動作は、次の通りである。
【００３７】
第１ストリップライン９の第１平行部分９（１）の一端側の信号入力端２０に受信信号が供給されると、その受信信号は、相互結合された第１ストリップライン９の第１平行部分９（１）と第２ストリップライン１０の第２平行部分１０（２）とを介して第１平行部分９（１）から第２平行部分１０（２）に逆極性で伝送結合される。また、受信信号は、第１ストリップライン９の第１平行部分９（１）の他端側から接続部分９（３）を通して第１ストリップライン９の第２平行部分９（２）の他端側に伝送され、同時に、第２ストリップライン１０の第２平行部分１０（２）の他端側から第２ストリップライン１０の第１平行部分１０（１）の他端側に伝送され、これらの受信信号が相互結合された第１ストリップライン９の第２平行部分９（２）と第２ストリップライン１０の第１平行部分１０（１）に供給される。この後、第２平行部分９（２）に伝送された受信信号は、第２平行部分９（２）から第２平行部分１０（２）に逆極性で伝送結合される受信信号に加算され、加算された受信信号が第１平行部分１０（１）の一端側の信号出力端２１から第３信号出力端子８に供給される。
【００３８】
このとき、第１ストリップライン９の第２平行部分９（２）によって形成される分布キャパシタ成分と第２平行部分９（２）の一端側と接地点間に接続されているスルーホール１８内の第１接続導体１１により形成されるインダクタ成分とは、高域カットオフ周波数近傍にある第１周波数、例えば、図３に図示されている第３周波数帯域内の周波数ｆ１（１８００ＭＨｚ）において共振する第１トラップ回路を構成しており、また、第２ストリップライン１０の第２平行部分１０（２）によって形成される分布キャパシタ成分と第２平行部分１０（２）の一端側と接地点間に接続されているスルーホール１９内の第２接続導体１２により形成されるインダクタ成分とは、同じく高域カットオフ周波数近傍にある第２周波数、例えば、図３に図示されている第３周波数帯域内の周波数ｆ２（１８５０ＭＨｚ）において共振する第２トラップ回路を構成している。そして、これら第１及び第２トラップ回路は、図３に図示の特性図から明らかなように、ハイパスフィルタ３の高域カットオフ周波数近傍の通過帯域内の２つの周波数ｆ１、ｆ２における挿入損失を大幅に減少させることができ、それにより高域カットオフ周波数近傍の立上り特性を急峻にすることができる。
【００３９】
また、相互結合された第１ストリップライン９の第１平行部分９（１）と第２ストリップライン１０の第２平行部分１０（２）と、同じく相互結合された第２ストリップライン１０の第１平行部分１０（１）と第１ストリップライン９の第２平行部分９（２）とは、それぞれ第２周波数帯域信号（周波数１５７４．４２〜１５７６．４２ＭＨｚ）に対するトラップ回路を構成しており、それにより、ハイパスフィルタ３は、図３に図示の特性図から明らかなように、この第２周波数帯域信号の部分に深い信号減衰域を有している。
【００４０】
このように、ハイパスフィルタ３は、内部に形成された複数のトラップ回路により、中間周波数帯の第２周波数帯域信号を大幅に減衰させ、高域カットオフ周波数近傍の高い周波数帯の第３周波数帯域信号の挿入損失を低減させることができ、それによってその高域カットオフ特性の立上り部を表面弾性波フィルタに匹敵する急峻な通過−減衰特性にすることができ、第３周波数帯域信号に対する良好な周波数選択特性が得られる。
【００４１】
この場合、ハイパスフィルタ３の入力端と受信信号入力端子５との間に接続された移相線路４は、特性インピーダンスが第３周波数帯域信号に対して外部回路と整合するように、例えば５０オームに構成設定し、その線路長を移相線路４の入力インピーダンスが第１周波数帯域信号及び第２周波数帯域信号に対してほぼ開放状態になるように構成しているので、第３周波数帯域信号だけが移相線路４を通してハイパスフィルタ３に供給され、第３周波数帯域信号に対する良好な周波数選択特性を最大限発揮させることができる。
【００４２】
前記実施の形態においては、第１周波数帯域信号が周波数８２４〜８９４ＭＨｚの範囲のセルラー帯信号、第２周波数帯域帯域信号が周波数１５７４．４２〜１５７６．４２ＭＨｚの範囲のＧＰＳ帯信号、第３周波数帯域信号が周波数１８５０〜１９９０ＭＨｚの範囲のＰＣＳ帯信号である例を挙げて説明したが、本発明による第１乃至第３周波数帯域信号は、かかるセルラー帯信号、ＧＰＳ帯信号、ＰＣＳ帯信号である場合に限られるものではなく、それぞれそれらの周波数帯域の近傍の他の周波数帯域信号を対象にしたものでも同様に適用可能である。
【図面の簡単な説明】
【００４３】
【図１】本発明によるトリプレクサ回路の一つの実施の形態に係わるもので、その要部構成を示す回路図である。
【図２】図１に図示されたハイパスフィルタの具体的構成を示すもので、その構成における一部の内部構成を透視状態で表した斜視図である。
【図３】図１に図示されたハイパスフィルタが呈するフィルタ特性の一例を示す特性図である。
【図４】既知のトリプレクサ回路の第１構成例を示すブロック図で、複数のハイパスフィルタ及びローパスフィルタを組み合わせて構成したものである。
【図５】既知のトリプレクサ回路の第２構成例を示すブロック図で、ハイパスフィルタ、バンドパスフィルタ、ローパスフィルタを用いて構成したものである。
【符号の説明】
【００４４】
１  ローパスフィルタ（ＬＰＦ）
２  バンドパスフィルタ（ＢＰＦ）
３  ハイパスフィルタ（ＨＰＦ）
４  移相線路
５  受信信号入力端子
６  第１信号出力端子
７  第２信号出力端子
８  第３信号出力端子
９  第１ストリップライン
９（１）  第１平行部分
９（２）  第２平行部分
９（３）  接続部分
１０  第２ストリップライン
１０（１）  第１平行部分
１０（２）  第２平行部分
１０（３）  接続部分
１１  第１接続導体
１２  第２接続導体
１３  第１誘電体層
１４  第２誘電体層
１５  第３誘電体層
１６  第１接地導体
１７  第２接地導体
１８  第１のスルーホール
１９  第２のスルーホール
２０  信号入力端
２１  信号出力端
２２  第３のスルーホール
２３  第４のスルーホール
２４  第５のスルーホール
２５  第６のスルーホール
２６  第３接続導体
２７  第４接続導体
２８  第５接続導体
２９  第６接続導体
【図１】
2006332980.tif 000003
【図２】
2006332980.tif 000004
【図３】
2006332980.tif 000005
【図４】
2006332980.tif 000006
【図５】
2006332980.tif 000007